(57)【要約】【課題】検針作業における検針データのハンディターミナルへの誤入力を低減させる検針システムを提供する。【解決手段】検針員の操作によって電力量計に表示される検針データを収集するハンディターミナル３０と、ネットワーク回線を介してハンディターミナル３０に接続してハンディターミナル３０で収集した検針データを受信し、検針データを需要家毎に管理するホスト端末１０とからなる検針システム１であって、ホスト端末１０は、ハンディターミナル３０からリアルタイムで送信された検針データと過去の検針データとを比較して、検針データが誤入力である可能性があるか否かを判定し、判定結果をハンディターミナル３０に送信し、ハンディターミナル３０は、ホスト端末１０からの判定結果をハンディターミナル３０の表示部３６に表示して、検針データの再入力を促す。【選択図】図２
2014220726.tif 000002
【特許請求の範囲】
【請求項１】
検針員の操作によって電力量計に表示される検針指示数を入力する携帯端末と、ネットワーク回線を介して前記携帯端末に接続して、前記携帯端末から送信される検針指示数を含む検針データを収集し、当該検針データを需要家毎に管理するホスト端末とからなる検針システムであって、
前記ホスト端末は、
前記携帯端末からの検針データを受信するホスト側データ受信部と、
検針データを累積記憶している検針データベースと、
前記携帯端末から送信された検針データと過去の検針データとを比較して、検針指示数が誤入力である可能性があるか否かを判定する誤入力判定部と、
当該誤入力判定部の判定結果に対応する通知データを前記携帯端末に送信するホスト側データ送信部と、を有し、
前記携帯端末は、
検針に必要な需要家情報を記憶する検針先データベースと、
検針員の操作によって検針指示数を入力する入力部と、
前記入力部に検針指示数の入力完了の操作入力があった場合に、検針指示数を含む検針データを前記ホスト端末に送信する検針側データ送信部と、
前記ホスト端末から送信される通知データを受信する検針側データ受信部と、
前記ホスト端末から送信された通知データを表示する表示部と、を有することを特徴とする検針システム。
【請求項２】
前記ホスト端末は、
需要家に関連する情報を管理する管理データベースを更に有し、
前記ホスト側データ送信部は、前記ホスト端末において前記管理データベースへの追加登録があった場合に、登録が完了した時点で検針に必要な需要家情報を前記携帯端末に送信し、
前記携帯端末は、
前記ホスト端末から送信された需要家情報を前記検針先データベースに記憶する異動情報登録部と、を更に有することを特徴とする請求項１記載の検針システム。
【請求項３】
前記携帯端末は、
ＧＰＳ情報を受信する現在地情報取得部と、
検針員による前記入力部の操作によって前記現在地情報取得部からＧＰＳ情報を取得し、このＧＰＳ情報と需要家情報を関連付けて前記検針先データベースに記憶する位置情報登録部と、
前記需要家情報に関連付けられたＧＰＳ情報に基づいて、次の検針場所への移動経路を前記表示部に地図表示させる地図表示情報作成部と、を更に有することを特徴とする請求項２記載の検針システム。
【発明の詳細な説明】
【技術分野】
【０００１】
本発明は、検針員が携帯する検針データを収集する携帯端末と、携帯端末で収集した検針データを管理するホスト端末とからなる検針システムに関する。
【背景技術】
【０００２】
従来、電力量計の検針は、検針員がハンディターミナルと称される検針用の携帯端末を持って各需要家宅を訪問し、電力量計の指示数を読み取ってハンディターミナルに入力することにより行われる。そして、検針員が会社に帰った後に、携帯端末からホストコンピュータ（ホストサーバ）に検針データをアップロード（出力）することで、ホストコンピュータに検針データが記憶される。
【０００３】
また、従来、この種の技術としては、特許文献１に記載されたものがある。特許文献１によれば、検針の都度、検針情報が電力会社のホストサーバに送信され、検針員に不測の事態が発生した場合には、緊急事態情報が電力会社のホストサーバや警察署のサーバに送信される携帯端末が提案されている。
【先行技術文献】
【特許文献】
【０００４】
【特許文献１】特開２００７−１１５１５６号公報
【発明の概要】
【発明が解決しようとする課題】
【０００５】
ところで、検針員がハンディターミナルを用いて検針データを収集する場合には、如何して誤入力を防止するか、という点が大きな課題であり、この課題を解決するために多くの技術が提案されている。
【０００６】
例えば、電力量計とハンディターミナルとを無線あるいは有線で接続して、電力量計から検針データをハンディターミナルに送信させるという技術がある。これにより、キー入力操作なしで検針データを収集することが可能になり、誤入力を防止することができる。しかしこの場合、電力量計との間で通信を行う機能を備えていることが前提となる。しかしながら、全ての需要家の電力量計が通信機能を備えているとは限らない。
【０００７】
このため、検針員が電力量計の指示数を読み取って、ハンディターミナルの入力パネルを操作して入力する作業が必要となり、人為的ミスを完全に防止することは困難である。そこで、より確実に誤入力を防止することを実現した検針システムの出現が望まれる。
【０００８】
また、誤入力はハンディターミナルの操作時においては気付きにくく、検針員が誤検針に気付くのは、携帯端末からホストコンピュータに検針データをアップロードする作業時のように、全ての検針作業が終了した後であることが多い。このため、需要家への対応が遅れてしまうおそれがある。
【０００９】
本発明は、このような課題を解決し、検針作業における検針データの検針用の携帯端末への誤入力を低減させること実現した検針システムを提供することを目的とする。
【課題を解決するための手段】
【００１０】
前記目的を達成するため、本発明は、次に記載する構成を備えている。
【００１１】
（１）  検針員の操作によって電力量計に表示される検針指示数を入力する携帯端末と、ネットワーク回線を介して前記携帯端末に接続して、前記携帯端末から送信される検針指示数を含む検針データを収集し、当該検針データを需要家毎に管理するホスト端末とからなる検針システムであって、前記ホスト端末は、前記携帯端末からの検針データを受信するホスト側データ受信部と、検針データを累積記憶している検針データベースと、前記携帯端末から送信された検針データと過去の検針データとを比較して、検針指示数が誤入力である可能性があるか否かを判定する誤入力判定部と、当該誤入力判定部の判定結果に対応する通知データを前記携帯端末に送信するホスト側データ送信部と、を有し、前記携帯端末は、検針に必要な需要家情報を記憶する検針先データベースと、検針員の操作によって検針指示数を入力する入力部と、前記入力部に検針指示数の入力完了の操作入力があった場合に、検針指示数を含む検針データを前記ホスト端末に送信する検針側データ送信部と、前記ホスト端末から送信される通知データを受信する検針側データ受信部と、前記ホスト端末から送信された通知データを表示する表示部と、を有することを特徴とする検針システム。
【００１２】
（１）によれば、携帯端末からホスト端末に検針データがリアルタイムで送信され、ホスト端末において、携帯端末から送信された検針指示値が誤入力である可能性があるか否かが判定され、その判定結果に対応する通知データが携帯端末に送信され、携帯端末の表示部に通知データの内容が表示される。検針員は、通知データの内容が、誤入力である可能性有りとするものであれば、検針員が再度検針指示値を確認して入力操作を行う。これにより、検針作業における検針指示数の誤入力を低減させることが可能になる。しかも、誤入力があった場合には、検針員が需要家の電力量計の場所にいる間に、誤入力の修正が可能になる。
【００１３】
（２）  （１）において、前記ホスト端末は、需要家に関連する情報を管理する管理データベースを更に有し、前記ホスト側データ送信部は、前記ホスト端末において前記管理データベースへの追加登録があった場合に、登録が完了した時点で検針に必要な需要家情報を前記携帯端末に送信し、前記携帯端末は、前記ホスト端末から送信された需要家情報を前記検針先データベースに記憶する異動情報登録部と、を更に有することを特徴とする検針システム。
【００１４】
（２）によれば、需要家の新規契約や電力量計の交換といった異動があり、その異動内容が管理データベースに追加登録された時点で、検針に必要な需要家情報がリアルタイムに携帯端末に送信され、検針先データベースが更新される。これにより、検針員が検針作業に出発する前に、例えば、検針員に対して需要家の新規契約や、電力量計の交換があった旨を説明する必要がなくなる。また、管理データベースが更新された時点で、携帯端末にも新規の需要家の情報が登録されるため、新規の需要家に検針に赴いた際に、すぐに携帯端末に検針指示値を入力して、ホスト端末に送信することが可能になる。
【００１５】
（３）  （１）又は（２）において、前記携帯端末は、ＧＰＳ情報を受信する現在地情報取得部と、検針員による前記入力部の操作によって前記現在地情報取得部からＧＰＳ情報を取得し、このＧＰＳ情報と需要家情報を関連付けて前記検針先データベースに記憶する位置情報登録部と、前記需要家情報に関連付けられたＧＰＳ情報に基づいて、次の検針場所への移動経路を前記表示部に地図表示させる地図表示情報作成部と、を更に有することを特徴とする検針システム。
【００１６】
（３）によれば、例えば、新設された電力量計を見る場所をＧＰＳ情報によって特定することが可能になり、そのＧＰＳ情報を表示部に表示させる地図上にリアルタイムに反映することが可能になる。これにより、新設された電力量計の場所から次の電力量計の場所まで検針員を誘導することが容易に可能となり、効率的に検針作業を進めることが可能になる。
【発明の効果】
【００１７】
本発明によれば、検針作業における検針データの検針用携帯端末への誤入力を低減させること実現した検針システムを提供することが可能になる。
【図面の簡単な説明】
【００１８】
【図１】本発明の一実施形態における検針システム１の概要を示す説明図である。
【図２】本発明の一実施形態における検針システム１のホスト端末１０及びハンディターミナル３０の制御系を示すブロック図である。
【図３】本発明の一実施形態における検針システム１による検針の流れを示す説明図である。
【図４】ハンディターミナル３０の表示部３６における表示例を示す説明図である。
【図５】ハンディターミナル３０の表示部３６における表示例を示す説明図である。
【図６】ハンディターミナル３０の表示部３６における表示例を示す説明図である。
【発明を実施するための形態】
【００１９】
以下、本発明の実施形態について、図面を参照しながら詳細に説明する。
図１は、本発明の一実施形態における検針システム１の概要を示す説明図である。検針システム１は、管理センタ５に設置されているホスト端末１０と、電力量計の検針に用いる携帯端末に相当するハンディターミナル３０とを備え、ホスト端末１０とハンディターミナル３０とは、ネットワーク回線１００を介して互いに送受信可能に接続されている。
【００２０】
ハンディターミナル３０は、携帯可能な検針用の端末であり、内部に各種の部品を収納する筐体３２と、複数の入力キーからなる入力パネル３４と、小型の液晶ディスプレイからなる表示部３６とを備えている。入力パネル３４と表示部３６とは、筐体３２の表面側に配置されている。
【００２１】
そして、検針員が、筐体３２を片手で把持して図示しない電力量計の検針指示数を見ながらもう片方の手で入力パネル３４を操作することにより、検針指示数がハンディターミナル３０に入力される。検針指示数が入力された後、入力パネル３４を操作して検針指示数の入力完了の操作入力を行うことにより、検針指示数に日時情報及び需要家情報が付与されて検針データが作成され、この検針データがハンディターミナル３０からホスト端末１０に送信される。
【００２２】
ホスト端末１０は、ハンディターミナル３０から送信された検針データを受信し、この検針データに基づいて需要家の電力使用量や使用料金を計算し、計算結果をハンディターミナル３０に送信する。
【００２３】
そして、ハンディターミナル３０は、ハンディターミナル３０にオプション装備された小型プリンタ（図示せず）を駆動させて、所定の用紙に電力使用量や使用料金を印刷する。印刷終了後、電力使用量や使用料金を印刷した用紙を需要家に渡すことにより、需要家に電力使用量や使用料金を知らせる。
【００２４】
図２は、本発明の一実施形態における検針システム１のホスト端末１０及びハンディターミナル３０の制御系を示すブロック図である。
ホスト端末１０は、ＣＰＵ１２と、ＲＡＭ１４と、大容量記憶装置１６と、入力部１８と、表示部２０と、データ通信部２２と、を備えている。
【００２５】
ＣＰＵ１２は、ホスト端末１０全体を制御する中央処理装置である。ＲＡＭ１４は、ＣＰＵ１２が各種の処理を実行する際にデータを展開する作業フィールドとして使用される。大容量記憶装置１６は、ハードディスク装置からなり、ＣＰＵ１２に各種の機能を実行させるためプログラム、処理に必要な各種のデータをまとめたデータベース等が記憶されている。入力部１８は、オペレータによって操作されるキーボードからなる。表示部２０は、画像表示を行う液晶ディスプレイからなる。データ通信部２２は、ネットワーク回線１００に接続し、ネットワーク回線１００に接続されている端末との間で送受信を行うものである。
【００２６】
大容量記憶装置１６には、ＣＰＵ１２が、使用電力量計算部１２ａ、誤入力判定部１２ｂ、受信制御部１２ｃ、送信制御部１２ｄ、異動情報登録部１２ｅ等としての機能を果たすためのプログラムが記憶されている。また、大容量記憶装置１６には、管理データベース１６ａと、検針データベース１６ｂとが記憶されている。
【００２７】
管理データベース１６ａは、電力供給を契約した需要家に、需要家の住所や電話番号等の需要家を特定する情報、契約情報、支払方法、電力量計の種類等を関連付けて記憶したものである。
【００２８】
検針データベース１６ｂは、需要家に関連付けて検針データを、過去分を含めて累積記憶したものである。
【００２９】
次に、ＣＰＵ１２の機能について説明する。
使用電力量計算部１２ａは、ハンディターミナル３０から送信された検針データに基づいて、需要家毎に使用電力量及び料金を計算する。
【００３０】
誤入力判定部１２ｂは、ハンディターミナル３０から送信された検針データが誤入力である可能性の有無を判定する。具体的には、誤入力判定部１２ｂは、検針データベース１６ｂに記憶されている過去分の検針データより、需要家における平均電力使用量、前年度における同月の電力使用量、前月の電力使用量を取得し、これらの情報と同月の電力使用量とを比較する。そして、これらの情報と同月の電力使用量との差が極端に大きい場合、例えば、２倍以上であったり１／２以下であったりした場合に誤入力である可能性があると判定する。
【００３１】
受信制御部１２ｃは、ハンディターミナル３０からのデータをデータ通信部２２を介して受信し、このデータをＲＡＭ１４における受信バッファとして使用される記憶領域に記憶する制御を行う。
【００３２】
送信制御部１２ｄは、ＲＡＭ１４における送信バッファとして使用される記憶領域に記憶されたデータを、データ通信部２２を介してハンディターミナル３０等に送信する制御を行う。
【００３３】
異動情報登録部１２ｅは、入力部１８を介して、新規需要家の登録情報、計器の変更等の情報が入力された場合に、これらの情報（以下、まとめて異動情報と称する）を管理データベース１６ａに登録するものである。また、異動情報登録部１２ｅは、異動情報を管理データベース１６ａに登録するとともに、異動情報の中から検針作業に必要な情報、例えば、需要家名、住所、電話番号等を抽出してＲＡＭ１４の送信バッファに保存する。送信バッファに保存された情報は、送信制御部１２ｄの制御によってリアルタイムにハンディターミナル３０に送信される。
【００３４】
ハンディターミナル３０は、ＣＰＵ４０と、ＲＡＭ４２と、ＲＯＭ４４と、入力パネル３４と、表示部３６と、ＧＰＳ受信部４６と、データ通信部４８とを備えている。
【００３５】
ＣＰＵ４０は、ハンディターミナル３０全体を制御する中央処理装置である。ＲＡＭ４２は、ＣＰＵ４０が各種の処理を実行する際にデータを展開する作業フィールドとして使用される。ＲＯＭ４４は、書き換え可能な不揮発性メモリからなり、ＣＰＵ４０に各種の機能を実行させるためプログラム、処理に必要な各種のデータをまとめたデータベース等が記憶されている。ＧＰＳ受信部４６は、ＧＰＳ衛星から発信されるＧＰＳ情報を受信するものである。データ通信部４８は、ネットワーク回線１００に接続し、ネットワーク回線１００に接続されている端末との間で送受信を行うものである。
【００３６】
ＲＯＭ４４には、ＣＰＵ４０が、異動情報登録部４０ａ、地図表示情報作成部４０ｂ、受信制御部４０ｃ、送信制御部４０ｄ、ＧＰＳ情報登録部４０ｅ等としての機能を果たすようにするためのプログラムが記憶されている。また、ＲＯＭ４４には、検針先データベース４４ａが記憶されている。
【００３７】
検針先データベース４４ａは、需要家に対して、検針作業に必要な情報、例えば、住所や電話番号、電力量計の番号、電力量計の位置、各需要家への移動順序等を関連付けて記憶したものである。
【００３８】
次に、ＣＰＵ４０の機能について説明する。
異動情報登録部４０ａは、ホスト端末１０から送信された異動情報を検針先データベース４４ａに登録するものである。
【００３９】
地図表示情報作成部４０ｂは、検針作業を行う際に各需要家を順番に訪れるための移動経路を地図上に表示させる地図情報を作成するものである。地図表示情報作成部４０ｂで作成された地図情報が表示部３６に表示される。
【００４０】
受信制御部４０ｃは、データ通信部４８を介して受信したホスト端末１０からのデータをＲＡＭ１４における受信バッファとして使用される記憶領域に記憶する制御を行う。
【００４１】
送信制御部４０ｄは、ＲＡＭ４２における送信バッファとして使用される記憶領域に記憶されたデータをデータ通信部４８を介してホスト端末１０等に送信する制御を行う。
【００４２】
ＧＰＳ情報登録部４０ｅは、ハンディターミナル３０の入力パネル３４に設けられた計器位置場所登録ボタンを押下することにより、ハンディターミナル３０の位置を示すＧＰＳ情報（緯度、経度）を取得するものである。そして、ハンディターミナル３０の入力パネル３４を操作して、検針先データベース４４ａの需要家を選択することにより、ＧＰＳ情報は、選択した需要家の情報に関連付けられて検針先データベース４４ａに登録される。
【００４３】
次に、検針システム１における検針の流れについて、図３を参照しながら説明する。
まず、検針員が、需要家の電力量計のある場所に赴き、電力量計の検針を行う。そして、検針員は、ハンディターミナル３０の入力パネル３４を操作して、検針指示数を入力する。そして、検針指示数の入力後、入力パネル３４を操作して完了を入力することにより、検針指示数に検針日時及び需要家名の情報が付与されて検針データが作成され、この検針データがＲＡＭ４２における送信バッファに保存される。そして、送信バッファの検針データは、送信制御部４０ｄの制御によってリアルタイムにホスト端末１０に送信される。
【００４４】
ホスト端末１０は、ハンディターミナル３０から受信した検針データに基づいて、電力使用量を求めるとともに、検針指示数が誤入力である可能性の有無を判定する。判定結果が誤入力である可能性が無いとする判定であれば、検針データを検針データベース１６ｂに登録するとともに、使用料金を計算する。更に、ホスト端末１０は、誤入力である可能性が無い旨の情報及び電力使用量と使用料金の情報をＲＡＭ１４における送信バッファに保存し、ハンディターミナル３０にリアルタイムで送信する。
【００４５】
判定結果が誤入力である可能性が有るとする判定であれば、誤入力である可能性が有る旨の情報をＲＡＭ１４における送信バッファに保存し、ハンディターミナル３０に送信する。
【００４６】
ハンディターミナル３０が、ホスト端末１０から誤入力である可能性が無い旨の情報を受信した場合には、図４に示すように、「検針指示数が登録されました。印刷しますか？」といった文字情報が表示部３６に表示される。この文字情報は、図３の「ＯＫ」に相当する。そして、検針員は、ハンディターミナル３０の入力パネル３４を操作して、印刷指示を入力することにより、電力使用量と使用料金とが所定の用紙に印刷される。なお、印刷指示を入力することが、図３の「ＯＫ確認」に相当する。そして、検針員は、電力使用量と使用料金とが印刷された用紙を需要家に渡す。これにより、需要家における検針作業が完了する。
【００４７】
ハンディターミナル３０が、ホスト端末１０から誤入力である可能性が有る旨の情報を受信した場合には、図５に示すように、「誤入力の可能性があります。間違いありませんか？」という文字情報が表示される。そして、検針員は、検針指示数を再確認し、間違ってなければ、ハンディターミナル３０の入力パネル３４を操作して、間違ってない旨の情報を入力する。間違ってない旨の情報は、ハンディターミナル３０からリアルタイムでホスト端末１０に送信される。ホスト端末１０は、ハンディターミナル３０から検針指示数が間違ってない旨の情報を受信すると、先に取得した検針データを検針データベース１６ｂに登録するとともに、使用料金を計算する。そして、ホスト端末１０は、誤入力である可能性が無い旨の情報及び電力使用量と使用料金の情報をハンディターミナル３０にリアルタイムで送信する。以下、ハンディターミナル３０がホスト端末１０から誤入力である可能性が無い旨の情報を受信した場合と同様に、ハンディターミナル３０を操作することにより、需要家における検針作業が完了する。
【００４８】
検針員が検針指示数を再確認し、検針指示数が間違っていた場合には、ハンディターミナル３０の入力パネル３４を操作して検針指示数の再入力を行い、完了を入力する。そして、再入力された検針指示数は、検針日時及び需要家名が関連付けられ検針データとして、ハンディターミナル３０からリアルタイムでホスト端末１０に送信される。以下、ホスト端末１０は、再送信された検針データに基づいて電力使用量を求めるとともに、検針指示数が誤入力である可能性の有無を改めて判定する。
【００４９】
ところで、電力量計の交換があった場合、電力量計の検針指示数と前回検針時の電力量計の検針指示数とが大きく異なっていることがありうる。この場合、ハンディターミナル３０に電力量計の検針指示数を入力すると、図５に示すように、「誤入力の可能性があります。間違いありませんか？」という文字情報が表示される。しかし、本実施形態によれば、ホスト端末１０の管理データベース１６ａが更新されると、ハンディターミナル３０の検針先データベース４４ａがリアルタイムで更新されるため、検針員は電力量計が交換されていることを予め説明されていなくても、交換されていることを検針場所で把握することが可能である。このため、検針員は、入力パネル３４を操作して、間違ってない旨の情報を入力することにより、検針作業を進めることが可能になる。
【００５０】
また、電力量計の交換によって、需要家の敷地内における電力量計の位置が変わった場合、検針員は、変更後の電力量計の位置で、ハンディターミナル３０の入力パネル３４に設けられた計器位置場所登録ボタンを押下することにより、ハンディターミナル３０の位置、すなわち電力量計の位置のＧＰＳ情報が取得される。このＧＰＳ情報が検針先データベース４４ａの需要家の情報に関連付けられて自動的に登録される。
【００５１】
これにより、例えば、図６に示すように、従来、需要家Ａから需要家Ｂまでの移動経路を、破線で示す経路Ｘで表示部３６に画面表示されていたとする。ここで、需要家Ｂにおいて電力量計の位置が位置Ｐから位置Ｑに移動した場合、次回の検針時から需要家Ａにおける検針作業終了後に、実線で示す経路Ｙが表示部３６に画面表示されるようになる。これにより、次の電力量計の位置まで容易にたどり着くことが可能になる。
【００５２】
以上、説明したように構成された本実施形態によれば、ハンディターミナル３０からホスト端末１０に検針データがリアルタイムで送信され、ハンディターミナル３０において検針データが誤入力である可能性があるか否かが判定され、その判定結果に対応する通知データがハンディターミナル３０に送信されて、ハンディターミナル３０の表示部に通知データの内容が表示される。検針員は、通知データの内容が、誤入力である可能性有りとするものであれば、検針員が再度検針データの入力操作を行う。これにより、検針作業における検針データのハンディターミナル３０への誤入力を低減させることが可能になる。しかも、検針員が需要家の電力量計の場所にいる間に、ハンディターミナル３０に検針データを修正することが可能になる。
【００５３】
また本実施形態によれば、需要家の新規契約や電力量計の交換といった異動があり、その異動内容が管理データベース１６ａに追加登録された時点で、検針に必要な需要家情報がリアルタイムにハンディターミナル３０に送信され、検針先データベース４４ａが更新される。これにより、検針員が検針作業に出発する前に、例えば、検針員に対して需要家の新規契約や、電力量計の交換があった旨を説明する必要がなくなる。また、既にハンディターミナル３０に新規の需要家の情報が登録されているため、新規の需要家に検針に赴いた際に、すぐにハンディターミナル３０に検針データを入力して、ホスト端末１０に送信することが可能になる。
【００５４】
また本実施形態によれば、例えば、新設された電力量計の位置をＧＰＳ情報によって特定することが可能になり、そのＧＰＳ情報を地図上にリアルタイムに反映することが可能になる。これにより、新設された電力量計の場所から次の電力量計の場所まで検針員を誘導することが容易に可能となる。しかも、次回の検針から、図６に示すように、新設された電力量計の位置に検針員を誘導するように地図表示される。このように、効率的に検針作業を進めることが可能になる。
【００５５】
以上、本発明の実施形態について説明したが、本発明の実施形態は上述した実施形態に限るものではない。例えば、電力量計が高所にあって見えにくい場合、ハンディターミナル３０にケーブル等でカメラを接続し、このカメラを長尺の棒体に取り付ける。そして、検針員が棒体を操作してカメラを電力量計に対向させて検針指示数を表示部３６に映し出し、検針員は表示部３６の検針指示数を見ながら入力するようにしてもよい。この際、ホスト端末１０から、誤入力の可能性がある旨の判断結果が送信された場合、カメラで撮影した電力量計の画像をリアルタイムでホスト端末１０に送信して、ホスト端末１０のオペレータに検針指示数を確認させてもよい。
【００５６】
また、上述した実施形態によれば、電力使用量を印刷した用紙を需要家に渡しているが、電力使用量を電子メールでハンディターミナル３０から需要家が所持する端末に送信するようにしてもよい。また、ホスト端末１０が誤入力の可能性がないと判断した場合に、ホスト端末１０から電力使用量を電子メールで需要家が所持する端末に送信してもよい。この際、ホスト端末１０からハンディターミナル３０に、電力使用量を需要家に通知した旨を知らせる情報を送信することにより、誤入力の可能性がないとする判定結果の検針員への報告としてもよい。
【符号の説明】
【００５７】
１  検針システム
５  管理センタ
１０  ホスト端末
１２  ＣＰＵ
１２ａ  使用電力量計算部
１２ｂ  誤入力判定部
１２ｃ  受信制御部
１２ｄ  送信制御部
１２ｅ  異動情報登録部
１４  ＲＡＭ
１６  大容量記憶装置
１６ａ  管理データベース
１６ｂ  検針データベース
１８  入力部
２０  表示部
２２  データ通信部
３０  ハンディターミナル
３２  筐体
３４  入力パネル
３６  表示部
４０  ＣＰＵ
４０ａ  異動情報登録部
４０ｂ  地図表示情報作成部
４０ｃ  受信制御部
４０ｄ  送信制御部
４０ｅ  ＧＰＳ情報登録部
４２  ＲＡＭ
４４  ＲＯＭ
４４ａ  検針先データベース
４６  ＧＰＳ受信部
４８  データ通信部
１００  ネットワーク回線
【図１】
2014220726.tif 000003
【図２】
2014220726.tif 000004
【図３】
2014220726.tif 000005
【図４】
2014220726.tif 000006
【図５】
2014220726.tif 000007
【図６】
2014220726.tif 000008